(57)【特許請求の範囲】
【請求項１】
アプリケーションを実行するアプリケーション実行部と、
ダウンリンク信号の通信品質を測定する測定部と、
前記実行するアプリケーションが第１種類の場合には、前記ダウンリンク信号の最新のＮ１個の通信品質のサンプルの移動平均値を計算し、前記実行するアプリケーションが第２種類の場合には、前記ダウンリンク信号の最新のＮ２個の通信品質のサンプルの移動平均値および前記ダウンリンク信号の最新のＮ３個の通信品質のサンプルの移動平均値を計算する平均化部と、
前記ダウンリンク信号の通信品質と、前記ダウンリンク信号のＭＣＳレベルとの対応を定めたテーブルを記憶する記憶部と、
前記ダウンリンク信号のＭＣＳレベルを設定可能な設定部と、
前記設定されたダウンリンク信号のＭＣＳレベルを無線基地局へ通知する通知部とを備え、
前記設定部は、前記実行するアプリケーションが第１種類の場合には、前記テーブルにおいて前記最新のＮ１個の通信品質のサンプルの移動平均値に対応し、現在のＭＣＳレベルと異なるＭＣＳレベルを設定可能であり、
前記設定部は、前記実行するアプリケーションが第２種類の場合には、前記テーブルにおいて前記最新のＮ２個の通信品質のサンプルの移動平均値に対応し、現在のＭＣＳレベルよりも低いＭＣＳレベル、又は前記テーブルにおいて前記最新のＮ３個の通信品質のサンプルの移動平均値に対応し、現在のＭＣＳレベルよりも高いＭＣＳレベルを設定可能である、ただし、Ｎ２＜Ｎ１＜Ｎ３である、無線端末。
【請求項２】
前記第１種類のアプリケーションは、Ｗｅｂアプリケーションであり、
前記第２種類のアプリケーションは、音声および／または動画に関連するアプリケーションである、請求項１に記載の無線端末。
【請求項３】
無線端末と無線基地局とを含む無線通信システムであって、
前記無線端末は、
アプリケーションを実行するアプリケーション実行部と、
ダウンリンク信号の通信品質を測定する測定部と、
前記実行するアプリケーションが第１種類のときには、前記ダウンリンク信号の最新のＮ１個の通信品質のサンプルの移動平均値を計算し、前記実行するアプリケーションが第２種類のときには、前記ダウンリンク信号の最新のＮ２個の通信品質のサンプルの移動平均値および前記ダウンリンク信号の最新のＮ３個の通信品質のサンプルの移動平均値を計算する平均化部と、
前記ダウンリンク信号の通信品質と、前記ダウンリンク信号のＭＣＳレベルとの対応を定めたテーブルを記憶する記憶部と、
前記ダウンリンク信号のＭＣＳレベルを設定する設定部と、
前記設定されたダウンリンク信号のＭＣＳレベルを無線基地局へ通知する通知部とを備え、
前記設定部は、前記実行するアプリケーションが第１種類の場合には、前記テーブルにおいて前記最新のＮ１個の通信品質のサンプルの移動平均値に対応し、現在のＭＣＳレベルと異なるＭＣＳレベルを設定可能であり、
前記設定部は、前記実行するアプリケーションが第２種類の場合には、前記テーブルにおいて前記最新のＮ２個の通信品質のサンプルの移動平均値に対応し、現在のＭＣＳレベルよりも低いＭＣＳレベル、又は前記テーブルにおいて前記最新のＮ３個の通信品質のサンプルの移動平均値に対応し、現在のＭＣＳレベルよりも高いＭＣＳレベルを設定可能であり、
前記無線基地局は、
前記無線端末からダウンリンク信号のＭＣＳレベルの通知を受けるレベル取得部と、
前記取得したＭＣＳレベルに基づいて、ダウンリンク信号を符号化する符号化部と、
前記取得したＭＣＳレベルに基づいて、ダウンリンク信号を変調する変調部とを備え、
、ただし、Ｎ２＜Ｎ１＜Ｎ３である、無線通信システム。
【請求項４】
前記第１種類のアプリケーションは、Ｗｅｂアプリケーションであり、
前記第２種類のアプリケーションは、音声および／または動画に関連するアプリケーションである、請求項３に記載の無線通信システム。
【発明の詳細な説明】
【技術分野】
【０００１】
本発明は、無線端末および無線通信システムに関する。
【背景技術】
【０００２】
従来から、通信品質に基づいて、ＭＣＳレベルを選択する無線通信システムが知られている。
【０００３】
たとえば、特許文献１（国際公開第２００８／１０８２２７号パンフレット）には、ユーザ装置と上りリンクの共有チャネルを用いて通信を行う基地局装置は、ユーザ装置と基地局装置との間のパスロスを算出する算出手段と、パスロスに基づいて、共有チャネルのＭＣＳレベルを選択するＭＣＳ選択手段を備えることが記載されている。
【先行技術文献】
【特許文献】
【０００４】
【特許文献１】国際公開第２００８／１０８２２７号パンフレット
【発明の概要】
【発明が解決しようとする課題】
【０００５】
ＭＣＳレベルが高いと、伝送されるデータレートは高くなるが、通信エラーが発生する頻度が多くなるが、従来の無線通信システムでは、実行するアプリケーションの種類に係りなく、ＭＣＳレベルが選択されていた。
【０００６】
しかしながら、アプリケーションによって、通信エラーが発生した場合の提供するサービスの弊害の程度が異なる。
【０００７】
たとえば、ＷｅｂアプリケーションによりＷｅｂページを表示する場合、速くページが表示されることが求められる。もし、Ｗｅｂページ表示中に通信エラーが生じると欠落したデータの再取得のためにページ表示の遅れが生じる場合がある。しかしながら、Ｗｅｂアプリケーションではデータの再取得が可能である。そのため、ＭＣＳレベルを上げることによって通信エラーが増加したとしてもサービスの弊害は少ない。逆に、Ｗｅｂアプリケーションでは、通信エラーが生じても欠落データの再取得は可能であることから通信品質が良いときに、ＭＣＳレベルを上げないと、伝送レートが遅くなり、サービスに弊害が生じる場合がある。
【０００８】
一方、音声通信では通信中に音声が断絶されないことが求められる。もし、音声通信を実行中に、通信エラーが生じると、一定時間音声が断絶する場合がある。よって、ＭＣＳレベルを上がることで通信エラーが増加すると、サービスへの弊害がある。
【０００９】
それゆえに、本発明の目的は、実行するアプリケーションの種類に応じて、良好なサービスを提供することができる無線端末および無線通信システムを提供することである。
【課題を解決するための手段】
【００１０】
本発明の無線端末は、アプリケーションを実行するアプリケーション実行部と、ダウンリンク信号の通信品質を測定する測定部と、実行するアプリケーションと測定したダウンリンク信号の通信品質に応じて、ダウンリンク信号のＭＣＳレベルを設定する設定部と、設定されたダウンリンク信号のＭＣＳレベルを無線基地局へ通知する通知部とを備え、実行するアプリケーションは、第１種類と第２種類とを含み、設定部は、実行するアプリケーションが第２種類のときは、実行するアプリケーションが第１種類のときよりも、略同一の通信品質に対応して設定されるＭＣＳレベルが低くなるように設定する。
【００１１】
本発明の無線端末は、アプリケーションを実行するアプリケーション実行部と、ダウンリンク信号の通信品質を測定する測定部と、実行するアプリケーションに基づいて、ダウンリンク信号の通信品質を補正する補正部と、補正されたダウンリンク信号の通信品質を無線基地局へ通知する通知部とを備え、実行するアプリケーションは、第１種類と第２種類とを含み、補正部は、実行するアプリケーションが第２種類のときは、実行するアプリケーションが第１種類のときよりも、略同一の測定された通信品質に対して補正後の通信品質がより低い値となるように補正する。
【００１２】
本発明の無線端末は、アプリケーションを実行するアプリケーション実行部と、ダウンリンク信号の通信品質を測定する測定部と、実行するアプリケーションに基づいて、ダウンリンク信号の通信品質を補正する補正部と、補正されたダウンリンク信号の通信品質に応じて、ダウンリンク信号のＭＣＳレベルを設定する設定部と、設定されたダウンリンク信号のＭＣＳレベルを無線基地局へ通知する通知部とを備え、実行するアプリケーションは、第１種類と第２種類とを含み、補正部は、実行するアプリケーションが第２種類のときは、実行するアプリケーションが第１種類のときよりも、略同一の測定された通信品質に対して補正後の通信品質がより低い値となるように補正する。
【００１３】
本発明の無線端末は、アプリケーションを実行するアプリケーション実行部と、ダウンリンク信号の通信品質を測定する測定部と、実行するアプリケーションに基づいて、ダウンリンク信号の最新のｎ個の通信品質のサンプルの移動平均を計算する平均化部と、移動平均の値に応じて、ダウンリンク信号のＭＣＳレベルを設定する設定部と、設定されたダウンリンク信号のＭＣＳレベルを無線基地局へ通知する通知部とを備え、実行するアプリケーションは、第１種類と第２種類とを含み、実行するアプリケーションが第１種類のときのｎの値をＮ１、実行するアプリケーションが第２種類であって、ＭＣＳレベルを下げるときのｎの値をＮ２、ＭＣＳレベルを上げるときのｎの値をＮ３としたときに、Ｎ２＜Ｎ１＜Ｎ３である。
【００１４】
本発明の無線端末は、アプリケーションを実行するアプリケーション実行部と、ダウンリンク信号の通信品質を測定する測定部と、実行するアプリケーションと測定したダウンリンク信号の通信品質に応じて、ダウンリンク信号の通信レベルを設定する設定部と、設定されたダウンリンク信号の通信レベルを無線基地局へ通知する通知部とを備え、実行するアプリケーションは、第１種類と第２種類とを含み、設定部は、実行するアプリケーションが第２種類のときは、実行するアプリケーションが第１種類のときよりも、略同一の通信品質に対応して設定される通信レベルが低くなるように設定する。
【００１５】
好ましくは、第１種類のアプリケーションは、Ｗｅｂアプリケーションであり、第２種類のアプリケーションは、音声および／または動画に関連するアプリケーションである。
【００１６】
本発明は、無線端末と無線基地局とを含む無線通信システムであって、無線端末は、アプリケーションを実行するアプリケーション実行部と、ダウンリンク信号の通信品質を測定する測定部と、実行するアプリケーションと測定したダウンリンク信号の通信品質に応じて、ダウンリンク信号のＭＣＳレベルを設定する設定部と、設定されたダウンリンク信号のＭＣＳレベルを無線基地局へ通知する通知部とを備え、無線基地局は、無線端末からダウンリンク信号のＭＣＳレベルの通知を受けるレベル取得部と、取得したＭＣＳレベルに基づいて、ダウンリンク信号を符号化する符号化部と、取得したＭＣＳレベルに基づいて、ダウンリンク信号を変調する変調部とを備え、実行するアプリケーションは、第１種類と第２種類とを含み、設定部は、実行するアプリケーションが第２種類のときは、実行するアプリケーションが第１種類のときよりも、略同一の通信品質に対応して設定されるＭＣＳレベルが低くなるように設定する。
【００１７】
本発明は、無線端末と無線基地局とを含む無線通信システムであって、無線端末は、アプリケーションを実行するアプリケーション実行部と、ダウンリンク信号の通信品質を測定する測定部と、実行するアプリケーションに基づいて、ダウンリンク信号の通信品質を補正する補正部と、補正されたダウンリンク信号の通信品質を無線基地局へ通知する通知部とを備え、無線基地局は、無線端末からダウンリンク信号の通信品質の通知を受けるレベル取得部と、通知されたダウンリンク信号の通信品質に応じて、ダウンリンク信号のＭＣＳレベルを設定する設定部と、設定したＭＣＳレベルに基づいて、ダウンリンク信号を符号化する符号化部と、設定したＭＣＳレベルに基づいて、ダウンリンク信号を変調する変調部とを備え、実行するアプリケーションは、第１種類と第２種類とを含み、補正部は、実行するアプリケーションが第２種類のときは、実行するアプリケーションが第１種類のときよりも、略同一の測定された通信品質に対して補正後の通信品質がより低い値となるように補正する。
【００１８】
本発明は、無線端末と無線基地局とを含む無線通信システムであって、無線端末は、アプリケーションを実行するアプリケーション実行部と、ダウンリンク信号の通信品質を測定する測定部と、実行するアプリケーションに基づいて、ダウンリンク信号の通信品質を補正する補正部と、補正されたダウンリンク信号の通信品質に応じて、ダウンリンク信号のＭＣＳレベルを設定する設定部と、設定されたダウンリンク信号のＭＣＳレベルを無線基地局へ通知する通知部とを備え、無線基地局は、無線端末からダウンリンク信号のＭＣＳレベルの通知を受けるレベル取得部と、取得したＭＣＳレベルに基づいて、ダウンリンク信号を符号化する符号化部と、取得したＭＣＳレベルに基づいて、ダウンリンク信号を変調する変調部とを備え、実行するアプリケーションは、第１種類と第２種類とを含み、補正部は、実行するアプリケーションが第２種類のときは、実行するアプリケーションが第１種類のときよりも、略同一の測定された通信品質に対して補正後の通信品質がより低い値となるように補正する。
【００１９】
本発明は、無線端末と無線基地局とを含む無線通信システムであって、無線端末は、アプリケーションを実行するアプリケーション実行部と、ダウンリンク信号の通信品質を測定する測定部と、実行するアプリケーションに基づいて、ダウンリンク信号の最新のｎ個の通信品質のサンプルの移動平均を計算する平均化部と、移動平均の値に応じて、ダウンリンク信号のＭＣＳレベルを設定する設定部と、設定されたダウンリンク信号のＭＣＳレベルを無線基地局へ通知する通知部とを備え、無線基地局は、無線端末からダウンリンク信号のＭＣＳレベルの通知を受けるレベル取得部と、取得したＭＣＳレベルに基づいて、ダウンリンク信号を符号化する符号化部と、取得したＭＣＳレベルに基づいて、ダウンリンク信号を変調する変調部とを備え、実行するアプリケーションは、第１種類と第２種類とを含み、実行するアプリケーションが第１種類のときのｎの値をＮ１、実行するアプリケーションが第２種類であって、ＭＣＳレベルを下げるときのｎの値をＮ２、ＭＣＳレベルを上げるときのｎの値をＮ３としたときに、Ｎ２＜Ｎ１＜Ｎ３である。
【００２０】
本発明は、無線端末と無線基地局とを含む無線通信システムであって、無線端末は、アプリケーションを実行するアプリケーション実行部と、ダウンリンク信号の通信品質を測定する測定部と、実行するアプリケーションと測定したダウンリンク信号の通信品質に応じて、ダウンリンク信号の通信レベルを設定する設定部と、設定されたダウンリンク信号の通信レベルを無線基地局へ通知する通知部とを備え、無線基地局は、無線端末からダウンリンク信号の通信レベルの通知を受けるレベル取得部と、取得した通信レベルに基づいて、ダウンリンク信号を符号化する符号化部と、取得した通信レベルに基づいて、ダウンリンク信号を変調する変調部と、取得した通信レベルに基づいて、ダウンリンク信号を空間多重化または時空間符号化し、実行するアプリケーションは、第１種類と第２種類とを含み、設定部は、実行するアプリケーションが第２種類のときは、実行するアプリケーションが第１種類のときよりも、略同一の通信品質に対応して設定されるＭＣＳレベルが低くなるように設定する。
【００２１】
好ましくは、第１種類のアプリケーションは、Ｗｅｂアプリケーションであり、第２種類のアプリケーションは、音声および／または動画に関連するアプリケーションである。
【発明の効果】
【００２２】
本発明によれば、実行するアプリケーションの種類に応じて、良好なサービスを提供することができる。
【図面の簡単な説明】
【００２３】
【図１】第１の実施形態の無線通信システムの構成を表わす図である。
【図２】第１の実施形態の無線端末の構成を表わす図である。
【図３】ダウンリンク信号のＭＣＳレベルを説明するための図である。
【図４】第１の実施形態の第１テーブルの例を表わす図である。
【図５】第１の実施形態の第２テーブルの例を表わす図である。
【図６】第１の実施形態の無線基地局の構成を表わす図である。
【図７】第２の実施形態の無線端末の構成を表わす図である。
【図８】第２の実施形態の無線基地局の構成を表わす図である。
【図９】第３の実施形態の無線端末の構成を表わす図である。
【図１０】第３の実施形態の無線基地局の構成を表わす図である。
【図１１】（ａ）は、第１種類のアプリケーション実行時におけるＣＩＮＲの変化の例を説明するための図である。（ｂ）は、第１種類のアプリケーション実行時におけるＭＣＳレベルの変化の例を説明するための図である。
【図１２】（ａ）は、第２種類のアプリケーション実行時におけるＣＩＮＲの変化の例を説明するための図である。（ｂ）は、第２種類のアプリケーション実行時におけるＭＣＳレベルの変化の例を説明するための図である。
【図１３】第４の実施形態の無線端末の構成を表わす図である。
【図１４】ダウンリンク信号の通信レベルを説明するための図である。
【図１５】第４の実施形態の第１テーブルの例を表わす図である。
【図１６】第４の実施形態の第２テーブルの例を表わす図である。
【図１７】第４の実施形態の無線基地局の構成を表わす図である。
【発明を実施するための形態】
【００２４】
以下、本発明の実施形態について図面を参照して説明する。
［第１の実施形態］  
図１は、第１の実施形態の無線通信システムの構成を表わす図である。
【００２５】
図１を参照して、この無線通信システムは、無線基地局２と、ｍ個の無線端末３−１〜３−ｍとを備える。無線基地局２は、ｍ個の無線端末３−１〜３−ｍとのうちの複数個と同時に通信が可能である。
【００２６】
以下、無線端末３−１〜３−ｍのうちのいずれかを表わすときには、無線端末３と記すことにする。
【００２７】
図２は、第１の実施形態の無線端末の構成を表わす図である。
図２を参照して、この無線端末１０２は、第１のアンテナ１１０と、第２のアンテナ１１１と、送信部１１３と、受信部１１２と、ＭＡＣ（Media Access Control）層処理部１１４と、アプリケーション実行部１５０と、第１の結合／分配器１８２と、第２の結合／分配器１８３とを備える。
【００２８】
第１の結合／分配器１８２は、たとえばサーキュレータで構成され、送信部１１３からの信号を第１のアンテナ１１０へ出力し、第１のアンテナ１１０からの信号を受信部１１２へ出力する。
【００２９】
第２の結合／分配器１８３は、たとえばサーキュレータで構成され、送信部１１３からの信号を第２のアンテナ１１１へ出力し、第２のアンテナ１１１からの信号を受信部１１２へ出力する。
【００３０】
送信部１１３は、マルチアンテナ送信信号処理部１２４と、サブキャリア配置部１２３と、ＩＦＦＴ部（Inverse First Fourier Transform）１２２と、ＣＰ（Cyclic Prefix）付加部１２１と、ＲＦ(Radio Frequency)部１２０とを備える。
【００３１】
サブキャリア配置部１２３は、たとえばＰＵＳＣ（Partial Usage of Subchannels)に基づいて、サブキャリアを配置する。
【００３２】
マルチアンテナ送信信号処理部１２４は、サブキャリア配置部１２３から出力されるアップリンク信号をアダプティブアレイ送信処理する。
【００３３】
ＩＦＦＴ部１２２は、マルチアンテナ送信信号処理部１２４から出力される複数のサブキャリア信号（周波数領域の信号）をＩＦＦＴによって、時間領域の信号（ＯＦＤＭＡ（Orthogonal Frequency Division Multiple Access）シンボル）に変換する。
【００３４】
ＣＰ付加部１２１は、ＯＦＤＭＡシンボルの後尾部分と同じ信号をＣＰとしてＯＦＤＭＡシンボルの先頭に付加する。
【００３５】
ＲＦ部１２０は、無線周波数帯にアップコンバートするアップコンバータ、アップコンバートされた信号を増幅する電力増幅回路、増幅された信号のうち所望帯域の信号成分のみを通過させて第１のアンテナ１１０および第２のアンテナ１１１へ出力するバンドパスフィルタなどを含む。
【００３６】
受信部１１２は、ＲＦ部１１５と、ＣＰ除去部１１６と、ＦＦＴ部１１７と、サブキャリア配置部１１８と、マルチアンテナ受信信号処理部１８１とを備える。
【００３７】
ＲＦ部１１５は、第１のアンテナ１１０および第２のアンテナ１１１から出力される信号のうち所望帯域の信号成分のみを通過させるバンドパスフィルタ、ＲＦ信号を増幅する低雑音増幅回路、ＲＦ信号をダウンコンバートするダウンコータなどを含む。
【００３８】
ＣＰ除去部１１６は、ＲＦ部１１５から出力される信号からＣＰを除去する。
ＦＦＴ部１１７は、ＣＰ除去部１１６から出力される時間領域の信号をＦＦＴによって、周波数領域の信号に変換して、複数のサブキャリアに復調する。
【００３９】
サブキャリア配置部１１８は、たとえばＰＵＳＣに基づいて、ＦＦＴ部１１７から出力される各サブキャリアを抽出する。
【００４０】
マルチアンテナ受信信号処理部１８１は、サブキャリア配置部１８から出力される信号（後述の時空間符号化された信号）を時空間復号化する。
【００４１】
ＭＡＣ層処理部１１４は、ユーザデータ送信管理部１３４と、符号化部１３３と、変調部１３２と、復調部１２５と、復号部１２６と、ユーザデータ受信管理部１２７と、制御部１３５とを備える。
【００４２】
ユーザデータ送信管理部１３４は、無線基地局２へ送信するユーザデータを管理する。
符号化部１３３は、無線基地局２へのアップリンク信号を符号化する。
【００４３】
変調部１３２は、符号化されたアップリンク信号を変調する。
復調部１２５は、無線基地局２からのダウンリンク信号を復調する。
【００４４】
復号部１２６は、復調されたダウンリンク信号を復号する。
ユーザデータ受信管理部２７は、無線基地局２から受信したユーザデータを管理する。
【００４５】
制御部１３５は、通信品質測定部１５１と、ＭＣＳ（Modulation and Coding Scheme）レベル設定部１５２と、テーブル記憶部１５３と、ＭＣＳレベル通知部１５４とを備える。
【００４６】
通信品質測定部１５１は、ダウンリンク信号の搬送波電力対干渉雑音電力比（ＣＩＮＲ）を通信品質として測定する。
【００４７】
テーブル記憶部１５３は、第１テーブルと、第２テーブルとを記憶する。
第１テーブルは、第１種類のアプリケーションが実行されているときに使用されるテーブルである。第１テーブルは、ダウンリンク信号のＣＩＮＲと、ダウンリンク信号のＭＣＳレベルとの対応を定める。第２テーブルは、第２種類のアプリケーションが実行されているときに使用されるテーブルである。第２テーブルは、ダウンリンク信号のＣＩＮＲと、ダウンリンク信号のＭＣＳレベルとの対応を定める。
【００４８】
ここで、第１種類のアプリケーションは、たとえばＷｅｂページを表示するためのＷｅｂアプリケーションを含み、第２種類のアプリケーションは、たとえばＩＰ電話やテレビ電話などの音声および／または動画に関連するリアルタイムに通信を行うアプリケーションを含む。
【００４９】
図３は、ダウンリンク信号のＭＣＳレベルを説明するための図である。
図３に示すように、ＭＣＳレベルは「１」〜「８」の８つのレベルを有する。各ＭＣＳレベルには、変調方式と、符号化レートが定められる。たとえば、ＭＣＳレベルが「１」は、変調方式が「ＱＰＳＫ」であり、符号化レートが「１／２」であることを表わす。ＭＣＳレベルが高いほど、伝送データレートが大きくなる。ＭＣＳレベルの値が増加する場合に、本明細書では、ＭＣＳレベルの値が増加する場合に、「ＭＣＳレベルが増加（アップ）」したと記載し、ＭＣＳレベルの値が減少する場合に、「ＭＣＳレベルが減少（ダウン）」したと記載する。
【００５０】
図４は、第１テーブルの例を表わす図である。図５は、第２テーブルの例を表わす図である。
【００５１】
第２テーブルは、第１テーブルよりも、レベルを１段階下げたテーブルである。すなわち、測定したＣＩＮＲがａ３以上かつａ４未満の場合には、第１テーブルを用いると、ＭＣＳレベルが「４」に設定されるのに対して、第２テーブルを用いると、ＭＣＳレベルが「３」に設定される。
【００５２】
ＭＣＳレベル設定部１５２は、実行するアプリケーションが第２種類のときは、実行するアプリケーションが第１種類のときよりも、略同一の通信品質に対応して設定されるＭＣＳレベルが低くなるように設定する。
【００５３】
具体的には、ＭＣＳレベル設定部１５２は、実行するアプリケーションが第１種類の場合には、第１テーブルを選択し、第１テーブルに従って、測定したダウンリンク信号のＣＩＮＲに対応するダウンリンク信号のＭＣＳレベルを設定する。たとえば、測定したＣＩＮＲがａ３以上かつａ４未満の場合には、ＭＣＳレベル設定部１５２は、ＭＣＳレベルを「４」に設定する。
【００５４】
また、ＭＣＳレベル設定部１５２は、実行するアプリケーションが第２種類の場合には、第２テーブルを選択して、第２テーブルに従って、測定したダウンリンク信号のＣＩＮＲに対応するダウンリンク信号のＭＣＳを設定する。たとえば、測定したＣＩＮＲがａ３以上かつａ４未満の場合には、ＭＣＳレベル設定部１５２は、ＭＣＳレベルを「３」に設定する。
【００５５】
ＭＣＳレベル通知部１５４は、設定されたダウンリンク信号のＭＣＳレベルを通知する信号を出力する。
【００５６】
アプリケーション実行部１５０は、第１種類のアプリケーションまたは第２種類のアプリケーションを実行する。
【００５７】
図６は、第１の実施形態の無線基地局の構成を表わす図である。
図６を参照して、この無線基地局２は、第１のアンテナ１０と、第２のアンテナ１１と、送信部１３と、受信部１２と、ＭＡＣ層処理部１４と、第１の結合／分配器８２と、第２の結合／分配器８３とを備える。
【００５８】
第１の結合／分配器８２は、たとえばサーキュレータで構成され、送信部１３からの信号を第１のアンテナ１０へ出力し、第１のアンテナ１０からの信号を受信部１２へ出力する。
【００５９】
第２の結合／分配器８３は、たとえばサーキュレータで構成され、送信部１３からの信号を第２のアンテナ１１へ出力し、第２のアンテナ１１からの信号を受信部１２へ出力する。
【００６０】
送信部１３は、マルチアンテナ送信信号処理部２４と、サブキャリア配置部２３と、ＩＦＦＴ部（Inverse First Fourier Transform）２２と、ＣＰ（Cyclic Prefix）付加部２１と、ＲＦ(Radio Frequency)部２０とを備える。
【００６１】
サブキャリア配置部２３は、たとえばＰＵＳＣ（Partial Usage of Subchannels)に基づいて、サブキャリアを配置する。
【００６２】
マルチアンテナ送信信号処理部２４は、ＷｉＭＡＸフォーラムで規定されるＭＡＴＲＩＸ−ＡのＭＩＭＯ方式に対応し、１つのデータストリームを時空間符号化（たとえばアラムーチ符号化）する。
【００６３】
ＩＦＦＴ部２２は、マルチアンテナ送信信号処理部２４から出力される複数のサブキャリア信号（周波数領域の信号）をＩＦＦＴによって、時間領域の信号（ＯＦＤＭＡ（Orthogonal Frequency Division Multiple Access）シンボル）に変換する。
【００６４】
ＣＰ付加部２１は、ＯＦＤＭＡシンボルの後尾部分と同じ信号をＣＰとしてＯＦＤＭＡシンボルの先頭に付加する。
【００６５】
ＲＦ部２０は、無線周波数帯にアップコンバートするアップコンバータ、アップコンバートされた信号を増幅する電力増幅回路、増幅された信号のうち所望帯域の信号成分のみを通過させて第１のアンテナ１０および第２のアンテナ１１へ出力するバンドパスフィルタなどを含む。
【００６６】
受信部１２は、ＲＦ部１５と、ＣＰ除去部１６と、ＦＦＴ部１７と、サブキャリア配置部１８と、マルチアンテナ受信信号処理部８１とを備える。
【００６７】
ＲＦ部１５は、第１のアンテナ１０および第２のアンテナ１１から出力される信号のうち所望帯域の信号成分のみを通過させるバンドパスフィルタ、ＲＦ信号を増幅する低雑音増幅回路、ＲＦ信号をダウンコンバートするダウンコータなどを含む。
【００６８】
ＣＰ除去部１６は、ＲＦ部１５から出力される信号からＣＰを除去する。
ＦＦＴ部１７は、ＣＰ除去部１６から出力される時間領域の信号をＦＦＴによって、周波数領域の信号に変換して、複数のサブキャリアに復調する。
【００６９】
サブキャリア配置部１８は、たとえばＰＵＳＣに基づいて、ＦＦＴ部１７から出力される各サブキャリアを抽出する。
【００７０】
マルチアンテナ受信信号処理部８１は、サブキャリア配置部１８から出力される信号をアダプティブアレイ受信処理する。
【００７１】
ＭＡＣ層処理部１４は、ユーザデータ送信管理部３４と、符号化部３３と、変調部３２と、復調部２５と、復号部２６と、ユーザデータ受信管理部２７と、制御部３５とを備える。
【００７２】
ユーザデータ送信管理部３４は、無線端末３へ送信するユーザデータを管理する。
符号化部３３は、ＭＣＳ切替部３８から指示されるＭＣＳの符号化レートに従って、ダウンリンク信号を符号化する。
【００７３】
変調部３２は、ＭＣＳ切替部３８から指示されるＭＣＳの変調方式に従って、符号化されたダウンリンク信号を変調する。
【００７４】
復調部２５は、無線端末３からのアップリンク信号を復調する。
復号部２６は、復調されたアップリンク信号を復号する。
【００７５】
ユーザデータ受信管理部２７は、無線端末３から受信したユーザデータを管理する。
制御部３５は、ＭＣＳレベル取得部３６と、ＭＣＳ切替部３８とを備える。
【００７６】
ＭＣＳレベル取得部３６は、無線端末３から送信されるＭＣＳレベルを通知する信号を取得する。
【００７７】
ＭＣＳ切替部３８は、通知されたＭＣＳレベルに従って、ダウンリンク信号のＭＣＳを切替える。
【００７８】
以上のように、本実施の形態の無線通信システムによれば、実行するアプリケーションの種類に応じて、通信品質に対応するＭＣＳレベルを変えることによって、良好なサービスを提供することができる。
【００７９】
［第１の実施形態の変形例］
第１の実施形態では、無線端末が、測定したＣＩＮＲと実行するアプリケーションの種類に基づいて、ダウンリンク信号のＭＣＳレベルを設定して、設定したダウンリンク信号のＭＣＳレベルを無線基地局へ通知した。そして、無線基地局は、通知されたＭＣＳレベルに従って、ダウンリンク信号のＭＣＳを切替えた。
【００８０】
これに対して、本変形例では、無線端末の通知部は、測定したＣＩＮＲを無線基地局へ通知する。無線基地局の取得部は、通知されたＣＩＮＲを取得し、設定部は、取得したＣＩＮＲと実行するアプリケーションの種類に基づいて、ダウンリンク信号のＭＣＳレベルを設定する。無線基地局の切替部は、設定したＭＣＳレベルに従って、ダウンリンク信号のＭＣＳを切替える。
【００８１】
［第２の実施形態］
図７は、第２の実施形態の無線端末の構成を表わす図である。
【００８２】
図７の無線端末２０２が、図２の第１の実施形態の無線端末１０２と相違する点は、制御部２３５である。制御部２３５は、通信品質測定部１５１と、通信品質補正部１９９と、通信品質通知部１５５とを備える。
【００８３】
通信品質測定部１５１は、ダウンリンク信号のＣＩＮＲを測定する。
通信品質補正部１９９は、実行するアプリケーションが第２種類のときは、実行するアプリケーションが第１種類のときよりも、略同一の測定された通信品質に対して補正後の通信品質がより低い値となるように補正する。これによって、第２種類のアプリケーションの実行時には、第１種類のアプリケーションの実行時よりも、無線基地局側で設定されるＭＣＳレベルを低くすることができる。
【００８４】
具体的には、通信品質補正部１９９は、実行するアプリケーションが第２種類の場合に、測定したダウンリンク信号のＣＩＮＲの値からオフセット値α［ｄＢ］を減算して、ダウンリンク信号のＣＩＮＲを補正する。
【００８５】
通信品質通知部１５５は、補正されたダウンリンク信号のＣＩＮＲを通知する信号を出力する。
【００８６】
図８は、第２の実施形態の無線基地局の構成を表わす図である。
図８の無線基地局３０２が、図６の第１の実施形態の無線基地局２と相違する点は、制御部３３５である。
【００８７】
制御部３３５は、通信品質取得部１５９と、ＭＣＳレベル設定部１９２と、テーブル記憶部１９３と、ＭＣＳ切替部３８とを備える。
【００８８】
通信品質取得部１５９は、無線端末３から送信されるダウンリンク信号のＣＩＮＲを通知する信号を取得する。
【００８９】
テーブル記憶部１９３は、アプリケーション共通テーブルを記憶する。
アプリケーション共通テーブルは、実行されているアプリケーションの種類に係りなく、使用されるテーブルである。アプリケーション共通テーブルは、ダウンリンク信号のＣＩＮＲと、ダウンリンク信号のＭＣＳレベルとの対応を定める。アプリケーション共通テーブルとして、たとえば第１の実施形態で説明した第１テーブルを用いることとしてもよい。
【００９０】
ＭＣＳレベル設定部１９２は、アプリケーション共通テーブルに従って、通知されたダウンリンク信号のＣＩＮＲに対応するダウンリンク信号のＭＣＳレベルを設定する。
【００９１】
ＭＣＳ切替部３８は、設定されたＭＣＳレベルに従って、ダウンリンク信号のＭＩＭＯ通信方式とＭＣＳとを切替える。
【００９２】
以上のように、本実施の形態の無線通信システムによれば、実行するアプリケーションの種類に応じて、通信品質を補正することによって、良好なサービスを提供することができる。
【００９３】
［第２の実施形態の変形例］
第２の実施形態では、無線端末が、実行するアプリケーションの種類に基づいて、ダウンリンク信号のＣＩＮＲを補正して、ダウンリンク信号のＣＩＮＲを無線基地局へ通知した。そして、無線基地局は、通知されたダウンリンク信号のＣＩＮＲに基づいて、ダウンリンク信号のＭＣＳレベルを設定し、設定したＭＣＳレベルに従って、ダウンリンク信号のＭＣＳを切替えた。
【００９４】
これに対して、本変形例では、無線端末の補正部が、実行するアプリケーションの種類に基づいて、ダウンリンク信号のＣＩＮＲを補正し、設定部が、ダウンリンク信号のＣＩＮＲに基づいて、ダウンリンク信号のＭＣＳレベルを設定し、通知部が、設定したＭＣＳレベルを無線基地局へ通知する。そして、無線基地局の取得部が、通知されたＭＣＳレベルを取得し、無線基地局の切替部は、取得したＭＣＳレベルに従って、ダウンリンク信号のＭＣＳを切替える。
【００９５】
［第３の実施形態］
図９は、第３の実施形態の無線端末の構成を表わす図である。
【００９６】
図９の無線端末４０２が、図２の第１の実施形態の無線端末１０２と相違する点は、制御部４３５である。
【００９７】
制御部４３５は、通信品質測定部１５１と、通信品質平均化部４５５と、通信品質通知部４５６とを備える。
【００９８】
通信品質測定部１５１は、ダウンリンク信号の搬送波電力対干渉雑音電力比（ＣＩＮＲ）を通信品質として測定する。
【００９９】
通信品質平均化部４５５は、実行するアプリケーションが第１種類の場合に、最新のＮ１回の測定したＣＩＮＲの移動平均を計算する。
【０１００】
通信品質平均化部４５５は、実行するアプリケーションが第２種類の場合に、最新のＮ２回の測定したＣＩＮＲの移動平均と、最新のＮ３回の測定したＣＩＮＲの移動平均を計算する。ただし、Ｎ２＜Ｎ１＜Ｎ３である。たとえば、Ｎ１＝１００、Ｎ２＝１０、Ｎ３＝２００とする。
【０１０１】
通信品質通知部４５６は、実行するアプリケーションが第１種類のときには、最新のＮ１回の測定したＣＩＮＲの移動平均値を通知する信号を出力する。通信品質通知部４５６は、実行するアプリケーションが第２種類のときには、最新のＮ２回の測定したＣＩＮＲの移動平均値、および最新のＮ３回の測定したＣＩＮＲの移動平均値を通知する信号を出力する。
【０１０２】
図１０は、第３の実施形態の無線基地局の構成を表わす図である。
図１０の無線基地局５０２が、図６の第１の実施形態の無線基地局２と相違する点は、制御部５３５である。
【０１０３】
制御部５３５は、通信品質取得部５５９と、ＭＣＳレベル設定部５５２と、テーブル記憶部１９３と、ＭＣＳ切替部３８とを備える。
【０１０４】
通信品質取得部５５９は、無線端末３から送信されるダウンリンク信号のＣＩＮＲを通知する信号を取得する。通信品質取得部５５９は、無線端末３で実行するアプリケーションが第１種類のときには、最新のＮ１回の測定したＣＩＮＲの移動平均値を通知する信号を取得し、無線端末３で実行するアプリケーションが第２種類のときには、最新のＮ２回の測定したＣＩＮＲの移動平均値、および最新のＮ３回の測定したＣＩＮＲの移動平均値を通知する信号を取得する。
【０１０５】
テーブル記憶部１９３は、アプリケーション共通テーブルを記憶する。
アプリケーション共通テーブルは、実行されているアプリケーションの種類に係りなく、使用されるテーブルである。このテーブルは、ダウンリンク信号のＣＩＮＲと、ダウンリンク信号のＭＣＳレベルとの対応を定める。アプリケーション共通テーブルとして、たとえば第１の実施形態で説明した第１テーブルを用いることとしてもよい。
【０１０６】
ＭＣＳレベル設定部５５２は、実行しているアプリケーションが第１種類のときには、アプリケーション共通テーブルに従って、通知された最新のＮ１回の測定したＣＩＮＲの移動平均値に対応するダウンリンク信号のＭＣＳレベルを設定する。
【０１０７】
ＭＣＳレベル設定部５５２は、実行しているアプリケーションが第２種類のときには、アプリケーション共通テーブルに従って、ＭＣＳレベルを下げるときには、最新のＮ２回のＣＩＮＲの移動平均値に対応するダウンリンク信号のＭＣＳレベルを特定する。
【０１０８】
ＭＣＳレベル設定部５５２は、実行しているアプリケーションが第２種類のときには、アプリケーション共通テーブルに従って、ＭＣＳレベルを上げるときには、最新のＮ３回のＣＩＮＲの移動平均値に対応するダウンリンク信号のＭＣＳレベルを特定する。
【０１０９】
ＭＣＳ切替部３８は、設定されたＭＣＳレベルに従って、ダウンリンク信号のＭＩＭＯ通信方式とＭＣＳ（変調方式および符号化レート）とを切替える。
【０１１０】
以上のようなＮ２＜Ｎ１＜Ｎ３によるＭＣＳレベルの変化について説明する。
図１１（ａ）は、第１種類のアプリケーション実行時におけるＣＩＮＲの変化の例を説明するための図である。図１１（ｂ）は、第１種類のアプリケーション実行時におけるＭＣＳレベルの変化の例を説明するための図である。
【０１１１】
図１１（ｂ）の（１）に示すように、ＣＩＮＲの劣化に応答してＭＣＳがレベルダウンする。
【０１１２】
図１２（ａ）は、第２種類のアプリケーション実行時におけるＣＩＮＲの変化の例を説明するための図である。図１２（ｂ）は、第２種類のアプリケーション実行時におけるＭＣＳレベルの変化の例を説明するための図である。
【０１１３】
図１２（ｂ）の（２）及び（３）に示すように、第２種類のアプリケーション実行時には、第１種類のアプリケーション実行時よりもＣＩＮＲの劣化に敏感に応答してＭＣＳがレベルダウンする。一方、ＣＩＮＲの改善時には、第２種類のアプリケーション実行時には、第１種類のアプリケーション実行時よりも慎重に応答してＭＣＳがレベルアップする。
【０１１４】
以上のように、本実施の形態の無線通信システムによれば、実行するアプリケーションの種類に応じて、通信品質の移動平均する期間を変えることによって、良好なサービスを提供することができる。
【０１１５】
［第３の実施形態の変形例］
第３の実施形態では、無線端末が、実行するアプリケーションの種類に基づいて、ダウンリンク信号のＣＩＮＲの移動平均値を算出して、ダウンリンク信号のＣＩＮＲの移動平均値を無線基地局へ通知した。そして、無線基地局は、通知されたダウンリンク信号のＣＩＮＲの移動平均値に基づいて、ダウンリンク信号のＭＣＳレベルを設定し、設定したＭＣＳレベルに従って、ダウンリンク信号のＭＣＳを切替えた。
【０１１６】
本変形例では、第３の実施形態と同様に、無線端末の通信品質平均化部が、通信品質平均化部４５５は、実行するアプリケーションが第１種類の場合に、最新のＮ１回の測定したＣＩＮＲの移動平均を計算し、実行するアプリケーションが第２種類の場合に、最新のＮ２回の測定したＣＩＮＲの移動平均と、最新のＮ３回の測定したＣＩＮＲの移動平均を計算する。ただし、Ｎ２＜Ｎ１＜Ｎ３である。
【０１１７】
無線端末のＭＣＳレベル設定部が、実行しているアプリケーションが第１種類のときには、アプリケーション共通テーブルに従って、通知された最新のＮ１回の測定したＣＩＮＲの移動平均値に対応するダウンリンク信号のＭＣＳレベルを設定する。無線端末のＭＣＳレベル設定部は、実行しているアプリケーションが第２種類のときには、アプリケーション共通テーブルに従って、ＭＣＳレベルを下げるときには、最新のＮ２回のＣＩＮＲの移動平均値に対応するダウンリンク信号のＭＣＳレベルを特定する。無線端末のＭＣＳレベル設定部は、実行しているアプリケーションが第２種類のときには、アプリケーション共通テーブルに従って、ＭＣＳレベルを上げるときには、最新のＮ３回のＣＩＮＲの移動平均値に対応するダウンリンク信号のＭＣＳレベルを特定する。
【０１１８】
通知部が、設定したＭＣＳレベルを無線基地局へ通知する。
無線基地局の取得部が、通知されたＭＣＳレベルを取得し、無線基地局の切替部が、取得したＭＣＳレベルに従って、ダウンリンク信号のＭＣＳを切替える。
【０１１９】
［第４の実施形態］
第４の実施形態では、ダウンリンク信号のＣＩＮＲに応じて、ダウンリンク信号のＭＣＳに加えて、ダウンリンク信号のＭＩＭＯ方式も切替えるようにしているシステムにおいて、実行しているアプリケーションの種類に応じて、ＭＣＳおよびＭＩＭＯ方式の切替条件と異なるようにする。
【０１２０】
図１３は、第４の実施形態の無線端末の構成を表わす図である。
図１３の無線端末が、図２の第１の実施形態の無線端末と相違する点は、制御部７３５である。
【０１２１】
マルチアンテナ受信信号処理部７８２は、サブキャリア配置部１８から出力される信号（後述の時空間符号化された信号または空間多重化された信号）を時空間復号化または空間多重分離する。
【０１２２】
制御部７３５は、通信品質測定部１５１と、通信レベル設定部１５２と、テーブル記憶部７５３と、通信レベル通知部７５４とを備える。
【０１２３】
通信品質測定部１５１は、ダウンリンク信号の搬送波電力対干渉雑音電力比（ＣＩＮＲ）を通信品質として測定する。
【０１２４】
テーブル記憶部７５３は、第１テーブルと、第２テーブルとを記憶する。
第１テーブルは、第１種類のアプリケーションが実行されているときに使用されるテーブルである。第１テーブルは、ダウンリンク信号のＣＩＮＲと、ダウンリンク信号の通信レベルとの対応を定める。
【０１２５】
第２テーブルは、第２種類のアプリケーションが実行されているときに使用されるテーブルである。第２テーブルは、ダウンリンク信号のＣＩＮＲと、ダウンリンク信号の通信レベルとの対応を定める。
【０１２６】
図１４は、ダウンリンク信号の通信レベルを説明するための図である。
図１４に示すように、通信レベルは「１」〜「１２」の８つのレベルを有する。各通信レベルには、ＭＩＭＯ方式と、変調方式と、符号化レートが定められる。たとえば、通信レベルが「１」は、ＭＩＭＯ方式がＭＡＴＲＩＸ−Ａであり、変調方式が「ＱＰＳＫ」であり、符号化レートが「１／２」であることを表わす。通信レベルが高いほど、伝送データレートが大きくなる。本明細書では、通信レベルの値が増加する場合に、「通信レベルが増加（アップ）」したと記載し、通信レベルの値が減少する場合に、「通信レベルが減少（ダウン）」したと記載する。
【０１２７】
図１５は、第１テーブルの例を表わす図である。図１６は、第２テーブルの例を表わす図である。
【０１２８】
第２テーブルは、第１テーブルよりも、レベルを１段階下げたテーブルである。すなわち、測定したＣＩＮＲがｂ３以上かつｂ４未満の場合には、第１テーブルを用いると、通信レベルが「４」に設定されるのに対して、第２テーブルを用いると、通信レベルが「３」に設定される。
【０１２９】
通信レベル設定部７５２は、実行するアプリケーションが第２種類のときは、実行するアプリケーションが第１種類のときよりも、略同一の通信品質に対応して設定される通信レベルが低くなるように設定する。
【０１３０】
通信レベル設定部７５２は、実行するアプリケーションが第１種類の場合には、第１テーブルを選択し、第１テーブルに従って、測定したダウンリンク信号のＣＩＮＲに対応するダウンリンク信号のＭＣＳレベルを設定する。たとえば、測定したＣＩＮＲがｂ３以上かつｂ４未満の場合には、通信レベル設定部７５２は、通信レベルを「４」に設定する。
【０１３１】
また、通信レベル設定部７５２は、実行するアプリケーションが第２種類の場合には、第２テーブルを選択して、第２テーブルに従って、測定したダウンリンク信号のＣＩＮＲに対応するダウンリンク信号のＭＣＳを設定する。たとえば、測定したＣＩＮＲがｂ３以上かつｂ４未満の場合には、通信レベル設定部７５２は、通信レベルを「３」に設定する。
【０１３２】
通信レベル通知部７５４は、設定されたダウンリンク信号の通信レベルを通知する信号を出力する。
【０１３３】
図１７は、第４の実施形態の無線基地局の構成を表わす図である。
図１７の無線基地局６０２が、図６の第１の実施形態の無線基地局２と相違する点は、マルチアンテナ送信信号処理部６２４と、制御部６３５である。
【０１３４】
マルチアンテナ送信信号処理部６２４は、設定されたＭＩＭＯ方式がＭＡＴＲＩＸ−Ａの場合に、１つのデータストリームを時空間符号化（たとえばアラムーチ符号化）し、設定されたＭＩＭＯ方式がＭＡＴＲＩＸ−Ｂの場合に、複数のデータストリームを空間多重化する。
【０１３５】
制御部６３５は、通信レベル取得部６３６と、切替部６３８とを備える。
通信レベル取得部６３６は、無線端末３から送信される通信レベルを通知する信号を取得する。
【０１３６】
切替部６３８は、通知された通信レベルに従って、ダウンリンク信号のＭＩＭＯ通信方式とＭＣＳとを切替える。
【０１３７】
以上のように、本実施の形態の無線通信システムによれば、実行するアプリケーションの種類に応じて、通信品質に対応する通信レベルを変えることによって、良好なサービスを提供することができる。
【０１３８】
［第４の実施形態の変形例］
第４の実施形態では、無線端末が、測定したＣＩＮＲと実行するアプリケーションの種類に基づいて、ダウンリンク信号の通信レベルを設定して、設定したダウンリンク信号の通信レベルを無線基地局へ通知した。そして、無線基地局は、通知された通信レベルに従って、ダウンリンク信号のＭＣＳおよびＭＩＭＯ方式を切替えた。
【０１３９】
これに対して、本変形例では、無線端末の通知部は、測定したＣＩＮＲを無線基地局へ通知する。無線基地局の取得部は、通知されたＣＩＮＲを取得し、設定部は、取得したＣＩＮＲと実行するアプリケーションの種類に基づいて、ダウンリンク信号の通信レベルを設定する。無線基地局の切替部は、設定した通信レベルに従って、ダウンリンク信号のＭＣＳおよびＭＩＭＯ方式を切替える。
【０１４０】
（変形例）
（１）  通信品質
本実施の形態では、通信品質としてＣＩＮＲを用いたが、ＰＥＲ（Packet Error Rate）を用いることとしてもよい。また、通信方式によっては通信品質測定にＲＳＲＱ（Reference Signal Received Quality）を用い、通信品質レポートとしてＭＣＳレベル自体をレポートしてもよい。
【０１４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４２】
１  無線通信システム、２，３０２，５０２，６０２  無線基地局、３，３−１〜３−ｍ，１０２，２０２，４０２，７０２  無線端末、１０，１１，１１０，１１１  アンテナ、１２，１１２  送信部、１３，１１３  受信部、１４，１１４  ＭＡＣ層処理部、１５，２０，１１５，１２０  ＲＦ部、１６，１１６  ＣＰ除去部、１７，１１７  ＦＦＴ部、１８，２３，１１８，１２３  サブキャリア配置部、２１，１２１  ＣＰ付加部、２２，１２２  ＩＦＦＴ部、２４，１２４，６２４  マルチアンテナ送信信号処理部、２５，１２５  復調部、２６，１２６  復号部、２７，１２７  ユーザデータ受信管理部、３２，１３２  変調部、３３，１３３  符号化部、３４，１３４  ユーザデータ送信管理部、３５，１３５，２３５，３３５，４３５，６３５，７３５  制御部、３６  ＭＣＳレベル取得部、３８  ＭＣＳレベル切替部、１５０  アプリケーション実行部、１５１  通信品質測定部、１５２，１９２，５５２  ＭＣＳレベル設定部、１５３，１９３，７５３  テーブル記憶部、１５４  ＭＣＳレベル通知部、１５５，４５６  通信品質通知部、１５９，５５９  通信品質取得部、１９９  通信品質補正部、４５５  通信品質平均化部、８１，１８１，７８２  マルチアンテナ受信信号処理部、８２，１８２  第１の結合／分配器、８３，１８３  第２の結合／分配器、６３６  通信レベル取得部、６３８  切替部、７５２  通信レベル設定部、７５４  通信レベル通知部。
【図１】
0005878752.tif 000002
【図２】
0005878752.tif 000003
【図３】
0005878752.tif 000004
【図４】
0005878752.tif 000005
【図５】
0005878752.tif 000006
【図６】
0005878752.tif 000007
【図７】
0005878752.tif 000008
【図８】
0005878752.tif 000009
【図９】
0005878752.tif 000010
【図１０】
0005878752.tif 000011
【図１１】
0005878752.tif 000012
【図１２】
0005878752.tif 000013
【図１３】
0005878752.tif 000014
【図１４】
0005878752.tif 000015
【図１５】
0005878752.tif 000016
【図１６】
0005878752.tif 000017
【図１７】
0005878752.tif 000018